(57)【要約】【課題】撮影レンズの保護を充分に行うことが可能なカメラを提供する。【解決手段】撮影レンズ１２と、撮影レンズ１２を保護するための開閉可能なバリア２０とを有するカメラであって、撮影レンズ１２前方直近に撮影対象外の物体（撮影者の指等）があるか否かを検出するシステムコントロール回路３０と、バリア２０が完全に開いている状態でシステムコントロール回路３０によって上記物体があることが検出された場合に、バリア２０を閉じる制御を行うバリア駆動回路２１とを備える。【選択図】図２
2009294596.tif 000002
【特許請求の範囲】
【請求項１】
撮影レンズと、前記撮影レンズを保護するための開閉可能なバリアとを有するカメラであって、
前記バリアが完全に開いている状態で前記撮影レンズ前方直近に撮影対象外の物体があるか否かを検出する物体検出手段と、
前記物体検出手段によって前記物体があることが検出された場合に、前記バリアを閉じる制御を行うバリア制御手段とを備えるカメラ。
【請求項２】
請求項１記載のカメラであって、
前記バリアを閉じる制御が、前記バリアを完全に閉じる制御であるカメラ。
【請求項３】
請求項１記載のカメラであって、
被写体像を撮像信号として出力する撮像素子と、
前記撮影レンズを含むレンズ鏡筒と、
前記レンズ鏡筒の前面に設けられ、物体が触れたことを検出するセンサとを備え、
前記物体検出手段が、前記センサの出力に基づいて前記物体の有無を検出するものであり、
前記センサの出力に基づいて前記物体があることが検出された場合、前記センサの出力と前記レンズ鏡筒の位置で決まるズーム倍率とに基づいて、前記物体が撮影範囲に入っているか否かを判定する判定手段を備え、
前記バリア制御手段が、前記判定手段により前記物体が撮影範囲に入っていると判定された場合、前記撮影範囲内において前記物体が隠れる位置まで前記バリアを閉じる制御を行い、
前記物体が隠れる位置まで前記バリアを閉じた状態で撮影が行われた場合に、当該撮影によって得られる画像データを前記バリアに相当する部分が除外されるように加工して記録する記録手段を備えるカメラ。
【請求項４】
請求項１記載のカメラであって、
前記撮影レンズを含むレンズ鏡筒と、
前記レンズ鏡筒の前面に設けられ、物体が触れたことを検出するセンサとを備え、
前記物体検出手段が、前記センサの出力に基づいて前記物体の有無を検出するものであり、
前記センサの出力に基づいて前記物体があることが検出された場合、前記センサの出力と前記レンズ鏡筒の位置で決まるズーム倍率とに基づいて、前記物体が撮影範囲に入っているか否かを判定する判定手段を備え、
前記バリア制御手段が、前記判定手段により前記物体が撮影範囲外にあると判定された場合、前記撮影範囲内に前記バリアが入らない位置まで前記バリアを閉じる制御を行うカメラ。
【請求項５】
請求項１記載のカメラであって、
被写体像を撮像信号として出力する撮像素子と、
前記撮影レンズを含むレンズ鏡筒と、
前記レンズ鏡筒の前面に設けられ、物体が触れたことを検出するセンサと、
前記撮影レンズと前記撮像素子との位置関係を変更する位置制御手段とを備え、
前記物体検出手段が、前記センサの出力に基づいて前記物体の有無を検出するものであり、
前記センサの出力に基づいて前記物体があることが検出された場合、前記センサの出力と前記レンズ鏡筒の位置で決まるズーム倍率とに基づいて、前記物体が撮影範囲に入っているか否かを判定する判定手段を備え、
前記位置制御手段が、前記判定手段により前記物体が撮影範囲内にあると判定された場合、前記物体が撮影範囲に入らないように、前記位置制御手段により前記撮影レンズと前記撮像素子との位置関係を変更して撮影範囲をずらす制御を行い、
前記バリア制御手段が、前記位置制御手段により前記撮影範囲がずらされた場合に、前記撮影範囲内に前記バリアが入らない位置まで前記バリアを閉じる制御を行うカメラ。
【請求項６】
請求項５記載のカメラであって、
前記位置制御手段が前記撮影範囲を可能な限りずらした状態でも前記物体が前記撮影範囲に入ってしまう場合、前記バリア制御手段は、前記バリアを完全に閉じる制御を行うカメラ。
【請求項７】
請求項１又は２記載のカメラであって、
前記バリアが完全に開いている状態において一定間隔で補助光を発光する補助光発光手段と、
被写体像を撮像信号として出力する撮像素子とを備え、
前記物体検出手段が、前記補助光の発光期間中に前記撮像素子で撮像された撮像領域の輝度の変化に基づいて前記物体の有無を検出するカメラ。
【請求項８】
請求項７記載のカメラであって、
前記物体検出手段が、前記補助光の発光期間中に前記撮像素子で撮像された撮像領域において、輝度が閾値を越え且つ前記一定間隔で変化している領域を抽出し、当該領域の大きさが閾値を越えた場合に、前記撮影レンズ前方直近に前記物体があることを検出するカメラ。
【請求項９】
請求項７又は８記載のカメラであって、
前記補助光発光手段が、前記物体検出手段によって前記物体があることが検出される頻度に応じて前記一定間隔を変更するカメラ。
【請求項１０】
請求項３〜６のいずれか１項記載のカメラであって、
前記バリアが完全に開いている状態において前記センサからの出力がなかった場合に、一定間隔で補助光を発光する補助光発光手段を備え、
前記物体検出手段が、前記バリアが完全に開いている状態において前記センサからの出力がなかった場合には、前記一定間隔で発光される補助光の発光期間中に前記撮像素子で撮像された撮像領域の輝度の変化に基づいて前記物体の有無を検出するカメラ。
【請求項１１】
請求項１０記載のカメラであって、
前記物体検出手段が、前記一定間隔で発光される補助光の発光期間中に前記撮像素子で撮像された撮像領域において、輝度が閾値を越え且つ前記一定間隔で変化している領域を抽出し、当該領域の大きさが閾値を越えた場合に、前記撮影レンズ前方直近に前記物体があることを検出するカメラ。
【請求項１２】
請求項１０又は１１記載のカメラであって、
前記補助光発光手段が、前記物体検出手段によって前記物体があることが検出される頻度又は前記センサからの出力が行われる頻度に応じて前記一定間隔を変更するカメラ。
【請求項１３】
請求項１〜１２のいずれか１項記載のカメラであって、
前記物体が人の指であるカメラ。
【請求項１４】
撮影レンズと、前記撮影レンズを保護するための開閉可能なバリアとを有するカメラの制御方法であって、
前記バリアが完全に開いている状態において前記撮影レンズ前方直近に撮影対象外の物体があるか否かを検出する物体検出ステップと、
前記物体検出ステップで前記物体があることが検出された場合に、前記バリアを閉じる制御を行うバリア制御ステップとを備えるカメラの制御方法。
【発明の詳細な説明】
【技術分野】
【０００１】
本発明は、撮影レンズと、前記撮影レンズを保護するための開閉可能なバリアとを有するカメラに関する。
【背景技術】
【０００２】
カメラで撮影を行うと、撮影者の指が撮影レンズに接触してしまい、撮影レンズが汚れたり破損したりする可能性がある。特許文献１には、カメラの撮影レンズ周辺にタッチセンサを設け、このタッチセンサに指が接触した場合には、撮影をできないようにする方法が開示されているが、この方法は指が撮影画像に写りこまないようにするものであり、指がレンズに触れるのを防ぐ方法ではない。
【０００３】
カメラの撮影レンズを保護するための手法として、特許文献２には、予め設定された所定時間操作がなされなかった場合に自動的にレンズ鏡筒を収縮して沈胴式の撮影レンズを本体内に収納するオートパワーオフ機能を有する撮像装置において、本体にタッチセンサを設け、このタッチセンサの出力から撮影者の撮影意思を察知し、撮影意思が高ければ上記所定時間を長め、撮影意思が無ければ短め、撮影意思はあるが低い場合はその中間の長さといった具合に、オートパワーオフ機能によって撮影レンズが本体に収納されるまでの時間を変更する方法が開示されている。
【０００４】
【特許文献１】特開平９−２９７３３６号公報
【特許文献２】特開２００３−３１９２２１号公報
【発明の開示】
【発明が解決しようとする課題】
【０００５】
しかし、特許文献２の方法では、オートパワーオフ機能によって撮影レンズが本体に収納されるまでの上記所定時間の間に、撮影レンズに指が触れてしまう可能性があり、撮影レンズの保護が充分になされているとは言えない。
【０００６】
本発明は、上記事情に鑑みてなされたものであり、撮影レンズの保護を充分に行うことが可能なカメラを提供することを目的とする。
【課題を解決するための手段】
【０００７】
本発明のカメラは、撮影レンズと、前記撮影レンズを保護するための開閉可能なバリアとを有するカメラであって、前記バリアが完全に開いている状態で前記撮影レンズ前方直近に撮影対象外の物体があるか否かを検出する物体検出手段と、前記物体検出手段によって前記物体があることが検出された場合に、前記バリアを閉じる制御を行うバリア制御手段とを備える。
【０００８】
この構成によれば、撮影時等のようにバリアが完全に開いている状態であっても、撮影レンズ前方直近に撮影対象外の物体がある場合には該バリアが閉じられるため、該物体が撮影レンズに接触してしまうのをバリアによって防ぐことができる。この結果、カメラの利用者が特に意図しなくとも撮影レンズの保護を充分に行うことが可能となる。
【０００９】
本発明のカメラは、前記バリアを閉じる制御が、前記バリアを完全に閉じる制御である。
【００１０】
この構成によれば、撮影レンズ前方直近に撮影対象外の物体がある場合にバリアが完全に閉じられるため、バリアを途中まで閉じる場合と比較して、物体が撮影レンズに接触してしまうのをより確実に防ぐことができる。
【００１１】
本発明のカメラは、被写体像を撮像信号として出力する撮像素子と、前記撮影レンズを含むレンズ鏡筒と、前記レンズ鏡筒の前面に設けられ、物体が触れたことを検出するセンサとを備え、前記物体検出手段が、前記センサの出力に基づいて前記物体の有無を検出するものであり、前記センサの出力に基づいて前記物体があることが検出された場合、前記センサの出力と前記レンズ鏡筒の位置で決まるズーム倍率とに基づいて、前記物体が撮影範囲に入っているか否かを判定する判定手段を備え、前記バリア制御手段が、前記判定手段により前記物体が撮影範囲に入っていると判定された場合、前記撮影範囲内において前記物体が隠れる位置まで前記バリアを閉じる制御を行い、前記物体が隠れる位置まで前記バリアを閉じた状態で撮影が行われた場合に、当該撮影によって得られる画像データを前記バリアに相当する部分が除外されるように加工して記録する記録手段を備える。
【００１２】
この構成によれば、撮影レンズ前方直近に物体があった場合でも、撮影レンズを保護しながら撮影を行うことが可能となる。
【００１３】
本発明のカメラは、前記撮影レンズを含むレンズ鏡筒と、前記レンズ鏡筒の前面に設けられ、物体が触れたことを検出するセンサとを備え、前記物体検出手段が、前記センサの出力に基づいて前記物体の有無を検出するものであり、前記センサの出力に基づいて前記物体があることが検出された場合、前記センサの出力と前記レンズ鏡筒の位置で決まるズーム倍率とに基づいて、前記物体が撮影範囲に入っているか否かを判定する判定手段を備え、前記バリア制御手段が、前記判定手段により前記物体が撮影範囲外にあると判定された場合、前記撮影範囲内に前記バリアが入らない位置まで前記バリアを閉じる制御を行う。
【００１４】
この構成によれば、撮影レンズ前方直近に物体があった場合でも、撮影レンズを保護しながら撮影を行うことが可能となる。
【００１５】
本発明のカメラは、被写体像を撮像信号として出力する撮像素子と、前記撮影レンズを含むレンズ鏡筒と、前記レンズ鏡筒の前面に設けられ、物体が触れたことを検出するセンサと、前記撮影レンズと前記撮像素子との位置関係を変更する位置制御手段とを備え、前記物体検出手段が、前記センサの出力に基づいて前記物体の有無を検出するものであり、前記センサの出力に基づいて前記物体があることが検出された場合、前記センサの出力と前記レンズ鏡筒の位置で決まるズーム倍率とに基づいて、前記物体が撮影範囲に入っているか否かを判定する判定手段を備え、前記位置制御手段が、前記判定手段により前記物体が撮影範囲内にあると判定された場合、前記物体が撮影範囲に入らないように、前記位置制御手段により前記撮影レンズと前記撮像素子との位置関係を変更して撮影範囲をずらす制御を行い、前記バリア制御手段が、前記位置制御手段により前記撮影範囲がずらされた場合に、前記撮影範囲内に前記バリアが入らない位置まで前記バリアを閉じる制御を行う。
【００１６】
この構成によれば、撮影レンズ前方直近に物体があった場合でも、撮影レンズを保護しながら撮影を行うことが可能となる。又、物体が撮影範囲に入っている場合でも、撮影範囲がずらされるため、撮影範囲をずらさない場合と比較して、撮影範囲の大きさを大きくとることが可能となり、撮影可能範囲を広げることができる。
【００１７】
本発明のカメラは、前記位置制御手段が前記撮影範囲を可能な限りずらした状態でも前記物体が前記撮影範囲に入ってしまう場合、前記バリア制御手段は、前記バリアを完全に閉じる制御を行う。
【００１８】
この構成によれば、撮影範囲を可能な限りずらした状態でも物体が撮影範囲に入ってしまう場合には、撮影を可能とすることよりも撮影レンズの保護を優先することで、品質の良くない画像を得るために撮影レンズの保護性能が低下してしまうのを防ぐことができる。
【００１９】
本発明のカメラは、前記バリアが完全に開いている状態において一定間隔で補助光を発光する補助光発光手段と、被写体像を撮像信号として出力する撮像素子とを備え、前記物体検出手段が、前記補助光の発光期間中に前記撮像素子で撮像された撮像領域の輝度の変化に基づいて前記物体の有無を検出する。
【００２０】
この構成によれば、例えば撮影レンズの真正面から撮影レンズに向かってくる物体を検出することができ、こういった物体から撮影レンズを保護することが可能となる。
【００２１】
本発明のカメラは、前記物体検出手段が、前記補助光の発光期間中に前記撮像素子で撮像された撮像領域において、輝度が閾値を越え且つ前記一定間隔で変化している領域を抽出し、当該領域の大きさが閾値を越えた場合に、前記撮影レンズ前方直近に前記物体があることを検出する。
【００２２】
この構成によれば、例えば撮影レンズの真正面から撮影レンズに向かってくる物体を検出することができる。
【００２３】
本発明のカメラは、前記補助光発光手段が、前記物体検出手段によって前記物体があることが検出される頻度に応じて前記一定間隔を変更する。
【００２４】
この構成によれば、例えば物体検出手段によって物体があることが検出される頻度が高い場合は、物体が撮影レンズ前方直近にくる確率が高いと想定できるため、一定間隔を短くして物体の検出精度を向上させることができ、該頻度が低い場合は、物体が撮影レンズ前方直近にくる確率が低いと想定できるため、一定間隔を長くして電力消費を抑制することができる。このように、利用者の使い方に応じて一定間隔を制御することで、無駄の少ない制御が可能となる。
【００２５】
本発明のカメラは、前記バリアが完全に開いている状態において前記センサからの出力がなかった場合に、一定間隔で補助光を発光する補助光発光手段を備え、前記物体検出手段が、前記バリアが完全に開いている状態において前記センサからの出力がなかった場合には、前記一定間隔で発光される補助光の発光期間中に前記撮像素子で撮像された撮像領域の輝度の変化に基づいて前記物体の有無を検出する。
【００２６】
この構成によれば、例えば撮影レンズの真正面から撮影レンズに向かってくる物体も検出することができ、こういった物体からも撮影レンズを保護することが可能となる。
【００２７】
本発明のカメラは、前記物体検出手段が、前記一定間隔で発光される補助光の発光期間中に前記撮像素子で撮像された撮像領域において、輝度が閾値を越え且つ前記一定間隔で変化している領域を抽出し、当該領域の大きさが閾値を越えた場合に、前記撮影レンズ前方直近に前記物体があることを検出する。
【００２８】
この構成によれば、例えば撮影レンズの真正面から撮影レンズに向かってくる物体も検出することができる。
【００２９】
本発明のカメラは、前記補助光発光手段が、前記物体検出手段によって前記物体があることが検出される頻度又は前記センサからの出力が行われる頻度に応じて前記一定間隔を変更する。
【００３０】
この構成によれば、例えば物体検出手段によって物体があることが検出される頻度やセンサからの出力の頻度が高い場合は、物体が撮影レンズ前方直近にある確率が高いと想定できるため、一定間隔を短くして物体の検出精度を向上させることができ、該頻度が低い場合は、物体が撮影レンズ前方直近にある確率が低いと想定できるため、一定間隔を長くして電力消費を抑制することができる。このように、利用者の使い方に応じて一定間隔を制御することで、無駄の少ない制御が可能となる。
【００３１】
本発明のカメラは、前記物体が人の指である。
【００３２】
この構成によれば、撮影レンズに触れやすい人の指から撮影レンズを効果的に保護することができる。
【００３３】
本発明のカメラの制御方法は、撮影レンズと、前記撮影レンズを保護するための開閉可能なバリアとを有するカメラの制御方法であって、前記バリアが完全に開いている状態において前記撮影レンズ前方直近に撮影対象外の物体があるか否かを検出する物体検出ステップと、前記物体検出ステップで前記物体があることが検出された場合に、前記バリアを閉じる制御を行うバリア制御ステップとを備える。
【発明の効果】
【００３４】
本発明によれば、撮影レンズの保護を充分に行うことが可能なカメラを提供することができる。
【発明を実施するための最良の形態】
【００３５】
以下、本発明の実施形態について図面を参照して説明する。
【００３６】
（第一実施形態）
図１は、本発明の第一実施形態のカメラを正面から見た場合の斜視図である。
カメラ本体１０の上面にはレリーズスイッチ１１が、正面部分には撮影レンズ１２を内蔵するレンズ鏡筒１３が配設されている。本実施形態のカメラはズーミング機能を搭載したカメラであり、レンズ鏡筒１３は被写体方向に伸縮自在である。レンズ鏡筒１３を伸縮させることで、ズーム倍率が変更される。レンズ鏡筒１３を通過した光は、後述する撮像素子に入射し、ここで撮像信号に変換される。
【００３７】
レンズ鏡筒１３の前面（被写体側の端面１３ａ）にはタッチセンサ１４が設けられている。また、タッチセンサ１４とカメラ本体１０の筐体部分が電気的に接続していると、撮影時に撮影者がカメラ本体を手で支持することによりタッチセンサ１４が作動してしまう恐れがあるので、タッチセンサ１４はカメラ本体１０の筐体部分と電気的に絶縁されている。
【００３８】
図２は、本発明の第一実施形態のカメラのブロック図である。
システムコントロール回路３０はマイクロコンピュータであり、本カメラの全体の制御を行う。
【００３９】
システムコントロール回路３０には、ＡＦセンサ３１および測光センサ３２が接続されており、焦点調節時には、ＡＦセンサ３１からの出力信号に基づく焦点制御回路３５の制御に従ってＡＦ駆動機構３６が制御され、露出制御時には、測光センサ３２からの出力信号に基づく露出制御回路３３の制御に従ってシャッタ駆動回路３４が制御される。シャッタ駆動回路３４およびＡＦ駆動機構３６によりレンズ鏡筒１３の動作が制御され、シャッタの開閉動作および合焦動作が行われる。また、レンズ鏡筒１３は、図示しないズームスイッチを操作することによりズーム駆動機構３７を介して制御され、ズーミング動作が行われる。
【００４０】
更に、レンズ鏡筒１３内には、撮影レンズ１２の前方に設けられ、撮影レンズ１２を保護するための開閉可能なバリア２０と、ＣＣＤイメージセンサ等の被写体像を撮像信号として出力する撮像素子５４とが含まれる。撮像素子５４の出力には、撮像素子５４から出力される撮像信号に所定の信号処理を施して画像データを生成する信号処理部５５が接続され、この信号処理部５５がシステムコントロール回路３０によって制御される。
【００４１】
システムコントロール回路３０にはレリーズスイッチロック回路５０を介してレリーズスイッチ１１が接続されている。レリーズスイッチロック回路５０は、システムコントロールイ回路３０からの指示により、レリーズスイッチ１１をロックして撮影禁止にする制御を行う。
【００４２】
また、システムコントロール回路３０には操作スイッチ３８が接続されており、操作スイッチ３８の操作に従って撮影モードの設定等が行われる。さらに、システムコントロール回路３０にはカメラの種々の設定状態等を表示するための表示素子３９が接続されている。
また、システムコントロール回路３０には、信号処理部５５で生成された画像データを記録する記録メディア５３も接続されており、システムコントロール回路３０の制御によって該画像データが記録メディア５３に記録される。
【００４３】
タッチセンサ１４は、指等の物体の接触の有無だけでなく、その物体の接触領域（接触場所及び接触面積）も検出し、検出結果をシステムコントロール回路３０に通知する。
【００４４】
また、システムコントロール回路３０には、バリア２０の開閉制御を行うバリア駆動回路２１が接続されている。バリア駆動回路２１は、システムコントロール回路３０の指示にしたがって、バリア２０を開閉する制御を行う。
【００４５】
システムコントロール回路３０は、タッチセンサ１４からの出力に基づいて、撮影レンズ１２前方直近に撮影対象外の物体（例えば人の指。以下では指として説明する）があるか否かを検出する。又、システムコントロール回路３０は、撮影レンズ１２前方直近に指があることを検出した場合は、タッチセンサ１４の出力と、レンズ鏡筒１３の位置で決まるズーム倍率とに基づいて、撮影範囲に該指が入っているか否かを判定する。
【００４６】
バリア駆動回路２１は、カメラが撮影モードに設定されるとバリア２０を完全に開き、電源がオフされるとバリア２０を完全に閉じる制御を行うと共に、バリア２０の完全開放中には、システムコントロール回路３０での物体の有無の検出結果に応じてバリア２０を閉じる制御を行う。
【００４７】
以下、第一実施形態のカメラの撮影時の動作について説明する。
図３は、第一実施形態のカメラの撮影時の動作フローを示す図である。図４は、第一実施形態のカメラの撮影時における判定処理を説明するための図である。図５は、バリア２０の開放中に撮影レンズ１２前方直近に指があることが検出された場合におけるバリア２０の開閉状態の遷移を示した図である。
【００４８】
カメラが撮影モードに設定されると、バリア２０が完全に開けられる。又、システムコントロール回路３０が、タッチセンサ１４による指の接触の有無の判定を開始する（ステップＳ２）。タッチセンサ１４により指の接触があることが検出されると（ステップＳ２：ＹＥＳ）、システムコントロール回路３０は、タッチセンサ１４の検出結果にしたがって指の接触領域を判定する（ステップＳ３）。
【００４９】
次に、システムコントロール回路３０は、ステップＳ３で判定した指の接触領域に余白領域を追加して（図４（ｂ），（ｄ）参照）、指が存在していると予想される推定指領域を判定する（ステップＳ４）。次に、システムコントロール回路３０は、推定指領域が撮影レンズ１２にかかっているか否か、即ち、撮影レンズ１２前方直近に指があるか否かを判定する（ステップＳ５）。システムコントロール回路３０は、推定指領域が撮影レンズ１２にかかっている場合には、撮影レンズ１２前方直近に指があると判定し、推定指領域が撮影レンズ１２にかかっていない場合には、撮影レンズ１２前方直近に指がないと判定することで、撮影レンズ１２前方直近の指の有無を検出する。
【００５０】
推定指領域が撮影レンズ１２にかかっていた場合（ステップＳ５：ＹＥＳ）、システムコントロール回路３０は、現在のズーム倍率で決まる撮影範囲に、推定指領域がかかってしまうか否か、即ち、該撮影範囲に指が入っているか否かを判定する（ステップＳ６）。
【００５１】
撮影範囲に推定指領域がかかっている（撮影範囲に指が入っている）と判定した場合（ステップＳ６：ＹＥＳ）、システムコントロール回路３０は、レリーズスイッチロック回路５０にレリーズスイッチ１１をロックするよう指示すると共に、バリア駆動回路２１にバリア２０を完全に閉じるよう指示する。この指示により、バリア２０が完全に閉じられる（図５参照）と共に、レリーズスイッチ１１がロックされて撮影が禁止される（ステップＳ７）。そして、表示素子３９等により、撮影ができない旨が撮影者に知らされる（ステップＳ８）。
【００５２】
一方、撮影範囲に推定指領域がかかっていない（撮影範囲に指が入っていない）と判定した場合（ステップＳ６：ＮＯ）、システムコントロール回路３０は、バリア駆動回路２１に、撮影範囲に入らない位置までバリア２０を閉じるよう指示する。この指示により、撮影範囲に入らない位置までバリア２０が閉じられる（ステップＳ９、図５参照）。そして、レリーズスイッチ１１が全押しされて撮影指示がなされると、この撮影指示に応じて撮影が実施され（ステップＳ１０）、この撮影により、画像データが生成され、記録メディア５３に記録される。
【００５３】
ステップＳ２で指の接触が検出されなかった場合には、ステップＳ１０の処理が実施される。
【００５４】
以上のように、本実施形態のカメラによれば、バリア２０を完全に開放している状態で、撮影レンズ１２前方直近に指が有ることが検出された場合に、バリア２０を閉じる制御（完全に閉じる場合と、途中まで閉じる場合とのいずれか）が行われる。このため、指が撮影レンズ１２に接触してしまうのを防ぐことができ、撮影レンズ１２の保護性能を向上させることができる。又、撮影範囲に指が入っていない場合には、バリア２０が途中まで閉じられた上で撮影が可能となるため、撮影レンズ１２の保護とシャッターチャンスの確保とを両立させることができる。
【００５５】
尚、図３のフローにおいて、ステップＳ６及びＳ９の処理は省略しても良い。つまり、指推定領域が撮影レンズ１２にかかっていた場合には、バリア２０を完全に閉じて撮影禁止とし、指推定領域が撮影レンズ１２にかかっていない場合には、バリア２０を開放したまま撮影可能としても良い。
【００５６】
又、本実施形態では、撮像素子５４を有するデジタルカメラを例にしたが、撮像素子５４の替わりに感光フィルムを用いたフイルムカメラにおいても、図３に示した処理を実施することが可能である。
【００５７】
（第二実施形態）
本実施形態のカメラの概略構成は第一実施形態のカメラと同様である。以下、本実施形態のカメラの撮影動作について説明する。
図６は、第二実施形態のカメラの撮影時の動作フローを示す図である。図７は、第二実施形態のカメラの撮影後の画像データ記録処理を説明するための図である。図６において図３と同じ処理には同一符号を付して説明を省略する。
【００５８】
図６のステップＳ６において、撮影範囲に推定指領域がかかっている（撮影範囲に指が入っている）と判定した場合、システムコントロール回路３０は、バリア駆動回路２１に、撮影範囲内において指（指推定領域に相当）が隠れる位置までバリア２０を閉じるよう指示する。この指示により、撮影範囲内において指が隠れる位置までバリア２０が閉じられる（ステップＳ１１、図７参照）。そして、レリーズスイッチ１１が全押しされて撮影指示がなされると、この撮影指示に応じて撮影が実施される（ステップＳ１２）。撮影後、信号処理部５５が、撮像素子５４から得られた撮像信号に基づいて画像データを生成し、この画像データを、バリア２０に相当する部分が除外されるように加工する。この加工の方法としては、例えば、図７に示したように、生成した画像データから、バリア２０が写っていない部分をトリミングすることで行えば良い。信号処理部５５は、加工した画像データと加工前の画像データとを記録メディア５３に記録して撮影動作を終了する（ステップＳ１３）。
【００５９】
以上のように本実施形態のカメラによれば、撮影範囲に指が入ってしまっている場合でも、撮影レンズ１２の保護を行いながら、撮影を行うことが可能となる。撮影によって得られる画像データには、バリア２０に相当する部分が含まれることになるが、この部分を除外するように画像データを加工した上で記録しているため、画像データのサイズは小さくなるが、シャッターチャンスを逃すことはなくなる。
【００６０】
（第三実施形態）
本実施形態では、撮影レンズ１２の前方直近に指があるかどうかの判定方法と、撮影範囲に指が入っているかどうかの判定方法の別の例について説明する。
図８は、本発明の第三実施形態のカメラのブロック図である。図８において図２と同様の構成には同一符号を付してある。
図８に示すカメラは、図２のカメラに、カメラの動きを検出する角速度センサ等の動き検出センサ５６を追加した構成となっている。
【００６１】
図９は、第三実施形態のカメラの撮影時の動作フローを示す図である。図９において図３と同じ処理には同一符号を付してある。図１０は、指の存在する領域を認識する処理を説明するための図である。
【００６２】
カメラが撮影モードに設定されると、撮像素子５４からは撮像信号が定期的に出力され、この撮像信号により、表示素子３９に表示するスルー画像用のスルー画像データが信号処理部５５によって生成される。又、バリア２０が完全に開けられると共に、システムコントロール回路３０が、タッチセンサ１４による指の接触の有無の判定を開始する（ステップＳ２）。
【００６３】
タッチセンサ１４により指の接触があることが検出されると（ステップＳ２：ＹＥＳ）、システムコントロール回路３０は、タッチセンサ１４の検出結果（指の接触場所及び指の接触面積）と、レンズ鏡筒１３の位置で決まるズーム倍率とから、撮影範囲において指が存在すると想定される領域である想定領域を求める（ステップＳ２２）。システムコントロール回路３０は、例えば、図３のステップＳ３，Ｓ４の処理を行って推定指領域を求め、撮影範囲に入っている推定指領域に余白領域を追加した図１０（ａ），（ｂ）に示したような領域Ｄを想定領域として求める。尚、タッチセンサ１４により指の接触が検出されなかった場合（ステップＳ２：ＹＥＳ）は、図３のステップＳ１０と同じ処理が行われて撮影動作が終了する。
【００６４】
次に、システムコントロール回路３０は、ステップＳ２：ＹＥＳの時点で撮像素子５４から出力された撮像信号から生成されたスルー画像データのうち、想定領域Ｄに対応する画像データの各画素データの輝度値を測定する（ステップＳ２３）。次に、システムコントロール回路３０は、測定した輝度値が閾値以下の画素データに対応する領域を、指の存在する指領域として認識する（ステップＳ２４）。指が存在する領域は、他の領域よりも輝度が極端に落ちていると考えられる。このため、想定領域Ｄに対応する画像データの輝度値を見ることで、指が存在する領域を認識することが可能となる。
【００６５】
次に、システムコントロール回路３０は、認識した指領域の情報Ｅを、図示しないメモリに一時的に記憶する（ステップＳ２５）。
【００６６】
システムコントロール回路３０は、この情報Ｅにしたがって、現在のズーム倍率で決まる撮影範囲に指が入っているか否かを判定することも可能である。しかし、情報Ｅだけを用いて判定を行うと、誤認識を行ってしまう可能性がある。例えば、図１０（ａ）に示すように、想定領域Ｄ内に指とは別に輝度値が低い被写体Ｂが存在している場合を考える。この場合は、図１０（ｃ）に示すように、この被写体Ｂと実際の指とを併せた領域が、指領域と認識されてしまう。
そこで、本実施形態では、カメラの位置を変えて行われた２回の撮影によって得られる撮像信号を基に、システムコントロール回路３０が指領域の認識を２回行い、認識した２つの指領域同士の重なる領域を真の指領域として認識することで、指以外の輝度値が低い被写体部分の影響を取り除いて、誤認識を防ぐようにしている。
【００６７】
ステップＳ２５の後、システムコントロール回路３０は、表示素子３９等を通してカメラを動かすように指示を出す（ステップＳ２６）。動き検出センサ５６によりカメラの動き量が閾値以上となったことが検出されると（ステップＳ２７：ＹＥＳ）、システムコントロール回路３０は、ステップＳ２２〜Ｓ２５と同様の処理を行う。
【００６８】
即ち、システムコントロール回路３０は、タッチセンサ１４の検出結果（指の接触場所及び指の接触面積）と、レンズ鏡筒１３の位置で決まるズーム倍率とから、撮影範囲において指が存在すると想定される領域である想定領域を求め（ステップＳ２８）、ステップＳ２７：ＹＥＳの時点で撮像素子５４から出力された撮像信号から生成されたスルー画像データのうち、ステップＳ２８で想定した想定領域に対応する画像データの各画素データの輝度値を測定し（ステップＳ２９）、測定した輝度値が閾値以下の画素データに対応する領域を指領域として認識し（ステップＳ３０）、認識した指領域の情報Ｆをメモリに一時的に記憶する（ステップＳ３１）。
【００６９】
次に、システムコントロール回路３０は、ステップＳ２５で記憶した情報Ｅと、ステップＳ３１で記憶した情報Ｆとを比較し、情報Ｅで表される指領域と情報Ｆで表される指領域との重なる領域を、真の指領域として認識し、認識した真の指領域の情報Ｇをメモリに一時的に記憶する（ステップＳ３２）。
【００７０】
次に、システムコントロール回路３０は、上記真の指領域が撮影レンズ１２にかかるか否か、即ち、撮影レンズ１２前方直近に指があるか否かを判定する（ステップＳ３３）。
【００７１】
システムコントロール回路３０は、真の指領域が撮影レンズ１２にかかっていた場合（ステップＳ３３：ＹＥＳ）、現在のズーム倍率で決まる撮影範囲に上記真の指領域が入ってしまうか否か、即ち、該撮影範囲に指が入っているか否かを判定し（ステップＳ３４）、真の指領域が撮影レンズ１２にかかっていなかった場合（ステップＳ３３：ＮＯ）、図３のステップＳ９以降の処理が行われる。
【００７２】
システムコントロール回路３０は、ステップＳ３４において撮影範囲に真の指領域が入っていた場合に図３のステップＳ７以降の処理を行い、撮影範囲に真の指領域が入っていなかった場合に図３のステップＳ９以降の処理を行う。
【００７３】
以上のように、本実施形態のカメラによれば、撮影によって得られた画像データに基づいて指領域を認識し、この指領域にしたがって撮影レンズ１２前方直近に指があるか否か、及び、指があった場合にその指が撮影範囲に入っているか否かを判定することができる。したがって、第一実施形態に比べて、その判定精度を向上させることができる。
【００７４】
又、カメラを動かして行った２回の撮影で得られる画像データを基に、指領域の認識を２回行い、２回の指認識の結果を考慮して真の指領域を認識しているため、指領域の誤認識を防ぐことができ、撮影レンズ１２前方直近に指があるか否かの判定と、撮影範囲に指が入っているか否かの判定をより高精度に行うことができる。
【００７５】
尚、第一実施形態のカメラにおいて、図３のステップＳ３，Ｓ４の代わりに、図６のステップＳ２２〜Ｓ２５の処理を行い、図３のステップＳ５において、撮影レンズ１２前方直近に指があるか否かを情報Ｅにしたがって判定し、図３のステップＳ６において、撮影範囲に指が入っているか否かを情報Ｅにしたがって判定するようにしても良い。
【００７６】
（第四実施形態）
図１１は、本発明の第四実施形態のカメラを正面から見た場合の斜視図である。図１１において図１と同様の構成には同一符号を付してある。
第四実施形態のカメラは、図１に示すカメラに、補助光を発光する発光部を追加した構成になっている。発光部は、図１１（ａ）に示すように、カメラ本体前面に設けた点状光源５７や、図１１（ｂ）に示すように、タッチセンサ１４の周縁に設けたリング状光源５８等である。
【００７７】
図１２は、本発明の第四実施形態のカメラのブロック図である。図１２において図８と同様の構成には同一符号を付してある。
図１２に示すカメラは、図８に示すカメラに、発光部５７又は５８と、発光部５７又は５８を駆動する補助光ドライバ回路５９とを追加した構成となっている。
【００７８】
第三実施形態のカメラでは、システムコントロール回路３０が、画像データの輝度値にしたがって指領域を認識するものとしたが、この認識方法は、指以外の被写体の輝度がある程度明るい場合（昼間に撮影を行った場合）において有効となる。夜間の撮影等のような場合は、想定領域全体の輝度が落ちてしまうため、画像データの輝度値にしたがって指領域を認識したとしても、その指領域が指によって暗くなっているのかどうか判断することが難しい。第三実施形態のカメラの場合、夜間撮影時においては、実際には想定領域に指が入っていなくても、想定領域＝指領域と認識される可能性があり、これによって撮影ができなくなってしまうことが考えられる。
【００７９】
そこで、本実施形態では、想定領域に対応する画像データの各画素データの輝度値から認識した指領域の面積が閾値（例えば想定領域の９０％）以上となっていた場合、この場合には指領域を正確に認識することが難しいため、システムコントロール回路３０が、発光部５７又は５８により補助光を発光させ、補助光を発光させた時点で得られた撮像信号から生成されたスルー画像データの想定領域に対応する画像データと、補助光発光前の認識処理で用いた画像データとを比較し、比較の結果、輝度値が大きく変化した画素データに対応する領域を指領域として再認識するものとしている。
【００８０】
以下、第四実施形態のカメラにおいてタッチセンサ１４により物体の接触が検出されたときの動作について説明する。
図１３は、第四実施形態のカメラの撮影時の動作フローを示す図である。図１４は、指の存在する領域を認識する処理を説明するための図である。
【００８１】
図９のステップ２４又はステップＳ３０の後、システムコントロール回路３０は、認識した指領域の面積の大きさを判定する（ステップＳ４１）。指領域の面積が閾値以上でなかった場合、システムコントロール回路３０は図９のステップＳ２５又はステップＳ３１以降の処理を行う。
【００８２】
指領域の面積が閾値以上であった場合、システムコントロール回路３０は、補助光ドライバ回路５９を制御して発光部５７又は５８から補助光を発光させる（ステップＳ４２）。
【００８３】
次に、システムコントロール回路３０は、補助光を発光して行われる撮影によって撮像素子５４から出力される撮像信号から生成されたスルー画像データの、図９のステップＳ２２又はステップＳ２８で算出した想定領域に対応する画像データＸ（図１４（ｂ），（ｄ）参照）と、図９のステップＳ２４又はステップＳ３０で指認識を行うために用いた画像データＹ（図１４（ａ），（ｃ）参照）とを比較して、指領域を再認識する（ステップＳ４３）。例えば、画像データＸと画像データＹとで、輝度値が閾値以上変化した画素データを抽出し、抽出した画素データに対応する領域を指領域として再認識する。
【００８４】
次に、システムコントロール回路３０は、再認識した指領域の情報Ｅ（又はＦ）をメモリに一時的に記憶する（ステップＳ４４）。その後は、図９のステップＳ２６又はステップＳ３２へと処理を移行する。
【００８５】
以上のように、本実施形態のカメラによれば、被写体が暗すぎて指領域を正確に認識することが難しいときには、補助光を発光したときに得られる画像データと、補助光を発光しないときに得られる画像データとの比較によって指領域が再認識されるため、夜間撮影等であっても、撮影範囲に指が入っているか否かの判定を高精度に行うことができる。
【００８６】
（第五実施形態）
図１５は、本発明の第五実施形態のカメラのブロック図である。図１５において図８と同様の構成には同一符号を付してある。
図１５に示すカメラは、図２に示すレンズ鏡筒１３内の撮影レンズの一部に、光軸に対して垂直に移動可能なシフトレンズ６１を追加し、更に、シフトレンズ６１を駆動するシフト部ドライブ回路６０と、シフトレンズ６１の位置を検出する位置検出部５２とを追加した構成となっている。
【００８７】
システムコントロール回路３０は、動き検出センサ５６で検出されたカメラの動き量に応じて、シフト部ドライブ回路６０を制御してシフトレンズ６１の位置を変えることで、光学手振れ補正制御を行う。
【００８８】
システムコントロール回路３０は、第一実施形態で説明した方法で判定した推定指領域、又は、第二実施形態〜第四実施形態で説明した方法で認識した指領域が、撮影範囲に入らないように、シフトレンズ６１を移動させて、撮影範囲を移動させる制御も行う。
【００８９】
図１６は、第五実施形態のカメラの動作フローを示す図である。図１７は、第五実施形態のカメラのレンズ鏡筒を前面から見たときの図である。図１６において図３と同じ処理には同一符号を付してある。
第五実施形態のカメラのシステムコントロール回路３０は、図３のステップＳ６又は図９のステップＳ３４での判定がＹＥＳの場合、推定指領域又は指領域が撮影範囲に入らなくなる方向にシフトレンズ６１を移動する準備を開始する（ステップＳ５１）。尚、シフトレンズ６１の移動量Ｍ１は、ステップＳ６で判定した推定指領域又はステップＳ３２で認識した指領域に基づいて算出する。
【００９０】
次に、システムコントロール回路３０は、シフトレンズ６１の現在位置に移動量Ｍ１を足した位置（レンズ移動位置）が、シフトレンズ６１のメカ端（シフトレンズ６１の移動可能な直線上の両端）を超えるか否かを判定する（ステップＳ５２）。
【００９１】
レンズ移動位置がシフトレンズ６１のメカ端を越えていた場合、この場合は、撮影範囲を可能な限り移動させても、撮影範囲に指が入ってしまうと判断できる。このため、システムコントロール回路３０は、図３のステップＳ７以降の処理を行う。
【００９２】
レンズ移動位置がシフトレンズ６１のメカ端を越えていなかった場合、この場合は、撮影範囲を移動させていけば、指が撮影範囲に入らなくなると判断できる。このため、システムコントロール回路３０は、シフトレンズ６１を移動量Ｍ１だけ移動させる（ステップＳ５３）。
【００９３】
シフトレンズ６１を移動させた後、システムコントロール回路３０は、撮影範囲にかからない位置までバリア２０を閉じるようにバリア駆動回路２１に指示を出す。例えば、バリア２０を図１７に示すようにＡ〜Ｄの４つ設けておき、撮影範囲をずらした方向とは逆方向にあるバリアを選択的に閉じるようにする（ステップＳ５４）ことで、撮影レンズ１２を保護しつつ、撮影範囲内の被写体を撮影することができる。そして、レリーズスイッチ１１が全押しされて撮影指示がなされると、この撮影指示に応じて撮影が実施され（ステップＳ５５）、この撮影により、画像データが生成されて記録メディア５３に記録される。
【００９４】
以上のように、本実施形態のカメラによれば、撮影範囲に指が入っていた場合でも、シフトレンズ６１を移動させて指が撮影範囲に入らないようにすることができるため、撮影範囲に指が入っていた場合に撮影禁止としてしまう第一実施形態のカメラと比較して、撮影が禁止されてしまう確率を減らすことができ、シャッターチャンスを逃さない確率を上げることができる。又、本実施形態のカメラによれば、撮影範囲に指が入っていた場合でも、その指が撮影範囲に入らないようにすることができるため、図６に示した第二実施形態のカメラと比較すると、撮影範囲を指の部分だけ広くとることが可能となる。
【００９５】
尚、本実施形態では、シフトレンズ６１を移動させることで撮影範囲を移動させるものとしたが、撮像素子５４を移動させて撮影範囲を移動させても良いし、シフトレンズ６１と撮像素子５４とをそれぞれ移動させて撮影範囲を移動させても良い。
【００９６】
（第六実施形態）
第一実施形態〜第五実施形態のカメラでは、タッチセンサ１４に指が接触すれば撮影レンズ１２の保護を行うことが可能であるが、実際の使用では、指がタッチセンサ１４に接触することなく撮影レンズ１２に触れてしまうことも考えられる。例えば、撮影レンズ１２の真正面から指を入れた場合等である。本実施形態のカメラでは、このような場合でも、指の存在を検出して、撮影レンズ１２を保護できるようにしたものである。本実施形態のカメラの概略構成は、図１１及び図１２に示したものと同じである。
【００９７】
図１８は、第六実施形態のカメラの撮影時の動作フローを示す図である。図１９は、第六実施形態のカメラによる指の検出原理を説明するための図である。
カメラが撮影モードに設定されると、撮像素子５４からは撮像信号が定期的に出力され、この撮像信号により、表示素子３９に表示するスルー画像用のスルー画像データが信号処理部５５によって生成される。更に、バリア２０が完全に開けられる。又、システムコントロール回路３０が、タッチセンサ１４による指の接触の有無の判定を開始する（ステップＳ７１）。タッチセンサ１４により指の接触があることが検出されると（ステップＳ７１：ＹＥＳ）、システムコントロール回路３０は、図３及び図６のステップＳ３以降の処理や、図９のステップＳ２２以降の処理を行う。
【００９８】
タッチセンサ１４により指の接触があることが検出されないと（ステップＳ７１：ＮＯ）、システムコントロール回路３０は、補助光ドライバ回路５９を制御して、補助光を発光期間Ｔ１で光らせる（ステップＳ７２）。
【００９９】
次に、システムコントロール回路３０は、補助光の発光期間中に撮像素子５４で撮像された撮像領域の輝度の変化に基づいて、撮影レンズ１２前方直近に指があるか否かを検出する。具体的に、システムコントロール回路３０は、発光間隔Ｔ１で発光される補助光の発光期間中に撮像素子５４から出力される撮像信号を取得し、この撮像信号のうち、輝度が閾値を越え且つ発光間隔Ｔ１で変化している領域を抽出する（ステップＳ７３）。そして、抽出した領域の大きさが閾値を越えた場合（ステップＳ７４：ＹＥＳ）に、撮影レンズ１２前方直近に指があることを検出する（ステップＳ７５）。
【０１００】
ステップＳ７５の後、システムコントロール回路３０は、レリーズスイッチロック回路５０にレリーズスイッチ１１をロックするよう指示すると共に、バリア駆動回路２１にバリア２０を完全に閉じるよう指示する。この指示により、バリア２０が完全に閉じられると共に、レリーズスイッチ１１がロックされて撮影が禁止される（ステップＳ７６）。そして、表示素子３９等により、撮影ができない旨が撮影者に知らされる（ステップＳ７７）。
【０１０１】
以上のように、本実施形態のカメラによれば、タッチセンサ１４からの出力がなかった場合でも、指の有無を検出して撮影レンズ１２を保護することができる。このため、撮影レンズ１２の正面から向かってくる物体も検出可能となり、撮影レンズ１２の保護性能をより向上させることができる。
【０１０２】
尚、以上の説明では、タッチセンサ１４からの出力がなかった場合にのみ、ステップＳ７２〜ステップＳ７７の処理を行うものとしたが、カメラにタッチセンサ１４を設けずに、カメラが撮影モードに設定されてバリア２０が完全に開けられている状態において、ステップＳ７２〜ステップＳ７７の処理を常に実行するようにしても良い。つまり、図１８においてステップＳ７１を省略しても良い。このような構成でも、撮影レンズ１２の保護という観点では有効である。
【０１０３】
（第七実施形態）
第七実施形態のカメラは、第六実施形態のカメラにおいて省電力化を図ったものである。第七実施形態のカメラの構成は、第六実施形態のカメラと同じである。本実施形態のカメラでは、タッチセンサ１４から出力がなされる頻度（以下、タッチセンサ接触頻度という）、又は、図１８のステップＳ７５において撮影レンズ１２前方直近に指があることを検出した頻度（以下、指検出頻度という）に応じて、補助光の発光間隔Ｔ１を変更することを特徴としている。タッチセンサ接触頻度は、タッチセンサ１４からの出力がなされた時刻を履歴として記憶しておき、この履歴から算出することができる。同様に、指検出頻度は、撮影レンズ１２前方直近に指があることが検出された時刻を履歴として記憶しておき、この履歴から算出することができる。
【０１０４】
図２０は、第七実施形態のカメラの撮影時の動作フローを示す図である。図２０において図１９と同じ処理には同一符号を付して説明を省略する。
タッチセンサ１４により指の接触があることが検出されると（ステップＳ７１：ＹＥＳ）、システムコントロール回路３０は、そのタッチセンサ１４からの出力があったことと、その時刻を図示しないメモリに履歴として記憶し（ステップＳ８３）、その後、図３及び図６のステップＳ３以降の処理や、図９のステップＳ２２以降の処理を行う。
【０１０５】
タッチセンサ１４により指の接触があることが検出されないと（ステップＳ７１：ＮＯ）、システムコントロール回路３０は、メモリに記憶されている上記履歴から、タッチセンサ接触頻度又は指検出頻度（例えば１ヶ月の間にタッチセンサ１４からの出力や指検出が何回なされたか）を算出し、算出したタッチセンサ接触頻度又は指検出頻度に応じて、補助光の発光間隔Ｔ１を設定する（ステップＳ８１）。
【０１０６】
例えば、指検出頻度やタッチセンサ接触頻度が高い場合は、撮影レンズ１２前方直近に指がくる確率が高いと想定できるため、発酵間隔Ｔ１を短くして指の検出精度を向上させる。一方、指検出頻度やタッチセンサ接触頻度が低い場合は、撮影レンズ１２前方直近に指がくる確率が低いと想定できるため、発酵間隔Ｔ１を長く設定して電力消費を抑制する。
【０１０７】
ステップＳ８１の後は、設定された発光間隔Ｔ１にしたがってステップＳ７２〜Ｓ７５が実施され、ステップＳ７５の後、システムコントロール回路３０は、ステップＳ７５で指を検出したことと、その検出時刻を履歴としてメモリに記憶する（ステップＳ８２）。その後は、ステップＳ７６以降の処理を実施する。
【０１０８】
以上のように、本実施形態のカメラによれば、利用者の使い方が荒いと判断されるときには、発光間隔Ｔ１を短くして、省電力よりも撮影レンズ１２の保護性能を優先し、利用者の使い方が丁寧であると判断されるときには、発光間隔Ｔ１を長くして、撮影レンズ１２の保護性能よりも省電力を優先することができる。このように、利用者の使い方に応じた無駄の少ない制御が可能となる。
【０１０９】
尚、図２０においても、ステップＳ７１及びステップＳ８３以降の処理を省略しても良い。この場合、システムコントロール回路３０は、指検出頻度のみに応じて発光間隔Ｔ１を決めれば良い。
【図面の簡単な説明】
【０１１０】
【図１】本発明の第一実施形態のカメラを正面から見た場合の斜視図
【図２】本発明の第一実施形態のカメラのブロック図
【図３】本発明の第一実施形態のカメラの撮影時の動作フローを示す図
【図４】本発明の第一実施形態のカメラの撮影時における判定処理を説明するための図
【図５】本発明の第一実施形態のカメラのバリアの開放中に撮影レンズ前方直近に指があることが検出された場合におけるバリアの開閉状態の遷移を示した図
【図６】本発明の第二実施形態のカメラの撮影時の動作フローを示す図
【図７】本発明の第二実施形態のカメラの撮影後の画像データ記録処理を説明するための図
【図８】本発明の第三実施形態のカメラのブロック図
【図９】本発明の第三実施形態のカメラの撮影時の動作フローを示す図
【図１０】本発明の第三実施形態のカメラにおいて、指の存在する領域を認識する処理を説明するための図
【図１１】本発明の第四実施形態のカメラを正面から見た場合の斜視図
【図１２】本発明の第四実施形態のカメラのブロック図
【図１３】本発明の第四実施形態のカメラの動作フローを示す図
【図１４】本発明の第四実施形態のカメラにおいて、指の存在する領域を認識する処理を説明するための図
【図１５】本発明の第五実施形態のカメラのブロック図
【図１６】本発明の第五実施形態のカメラの動作フローを示す図
【図１７】本発明の第五実施形態のカメラのレンズ鏡筒を前面から見たときの図
【図１８】本発明の第六実施形態のカメラの撮影時の動作フローを示す図
【図１９】本発明の第六実施形態のカメラによる指の検出原理を説明するための図
【図２０】本発明の第七実施形態のカメラの撮影時の動作フローを示す図
【符号の説明】
【０１１１】
１２  撮影レンズ
２０  バリア
２１  バリア駆動回路
３０  システムコントロール回路
【図１】
2009294596.tif 000003
【図２】
2009294596.tif 000004
【図３】
2009294596.tif 000005
【図４】
2009294596.tif 000006
【図５】
2009294596.tif 000007
【図６】
2009294596.tif 000008
【図７】
2009294596.tif 000009
【図８】
2009294596.tif 000010
【図９】
2009294596.tif 000011
【図１０】
2009294596.tif 000012
【図１１】
2009294596.tif 000013
【図１２】
2009294596.tif 000014
【図１３】
2009294596.tif 000015
【図１４】
2009294596.tif 000016
【図１５】
2009294596.tif 000017
【図１６】
2009294596.tif 000018
【図１７】
2009294596.tif 000019
【図１８】
2009294596.tif 000020
【図１９】
2009294596.tif 000021
【図２０】
2009294596.tif 000022